(57)【要約】【課題】  小型化および低コスト化を図れる操作パネル、および電子機器を提供する。【解決手段】操作パネル４は、ＬＥＤモジュール４１２およびタクトスイッチ４１１が実装された回路基板４１と、回路基板４１に積層配置され、タクトスイッチ４１１を押圧するためのキートップ本体４２１、およびキートップ本体４２１を支持するベース部材４２２を有するキートップ４２と、ＬＥＤモジュール４１２から放射された光束を導光して外部に射出するインジケータ部４３と、回路基板４１、キートップ４２、およびインジケータ部４３に積層配置され、キートップ本体４２１およびインジケータ部４３を外部に露出するための孔４４１，４４２を有するカバー部材４４とを備える。キートップ４２およびインジケータ部４３は、透光性を有する合成樹脂を成型により形成した一体成型品である。【選択図】 図２
2006244864.tif 000002
【特許請求の範囲】
【請求項１】
電子機器に設けられ、前記電子機器を操作するための操作パネルであって、
光束を放射する自己発光素子、および押圧された場合に所定の信号を出力するスイッチが実装された回路基板と、
前記回路基板に積層配置され、前記スイッチの位置に応じて配置され前記スイッチを押圧するためのキートップ本体、および前記キートップ本体を支持するベース部材を有するキートップと、
前記自己発光素子の位置に応じて配置され、前記自己発光素子から放射された光束を導光して外部に射出するインジケータ部と、
前記回路基板、前記キートップ、および前記インジケータ部に積層配置され、前記キートップ本体および前記インジケータ部を外部に露出するための孔を有するカバー部材とを備え、
前記キートップおよび前記インジケータ部は、透光性を有する合成樹脂を成型により形成した一体成型品であることを特徴とする操作パネル。
【請求項２】
請求項１に記載の操作パネルにおいて、
前記回路基板には、前記スイッチ近傍位置に光束を放射する自己発光素子が実装され、
前記キートップ本体には、前記スイッチを押圧するための接触部と、前記自己発光素子から放射された光束を導光して前記キートップ本体から外部に射出させる導光部とが形成され、
前記キートップ本体は、前記接触部が前記スイッチを押圧した状態で、前記導光部が前記スイッチと機械的に干渉しない形状を有していることを特徴とする操作パネル。
【請求項３】
外装筺体と、請求項１または請求項２に記載の操作パネルとを備え、
前記操作パネルを構成するカバー部材が前記外装筺体に一体的に形成されていることを特徴とする電子機器。
【発明の詳細な説明】
【技術分野】
【０００１】
本発明は、操作パネル、および電子機器に関する。
【背景技術】
【０００２】
従来、利用者に操作を促し、電子機器の起動等を実施するための操作パネルが電子機器の外装筺体に配設されている（例えば、特許文献１参照）。
特許文献１に記載の操作パネルは、プロジェクタの外装筺体に配設された操作パネルである。この操作パネルは、外装筺体から外部に露出する複数の操作ボタン（キートップ本体）と、外装筺体内部に配置され、操作ボタンの押下により押圧されて所定の信号を出力するスイッチが実装された回路基板とを備える。そして、操作ボタンの押下により、プロジェクタの各種機能、例えば、出力音量調整機能を発揮させる構成となっている。
【０００３】
【特許文献１】特開２００１−３５６４１５号公報
【発明の開示】
【発明が解決しようとする課題】
【０００４】
また、電子機器の状態（起動状態、スタンバイ状態等）に応じて所定の光を外部に射出することで、利用者に電子機器の状態を認識させる状態表示部が外装筺体に配設された構成も提案されている。
この状態表示部としては、自己発光素子と、該自己発光素子が実装され該自己発光素子に所定の電圧を印加する回路基板と、外装筺体から外部に露出するように配設され、自己発光素子から放射される光束を導光して外部に射出する透光性を有するインジケータ部とで一般的に構成されている。
上述した操作パネルおよび状態表示部をそれぞれ電子機器に配設した場合には、回路基板が独立して２つ必要となるとともに、操作ボタンおよびインジケータ部がそれぞれ必要となり、電子機器の小型化および低コスト化を図れない、という問題がある。
【０００５】
本発明の目的は、小型化および低コスト化を図れる操作パネルおよび電子機器を提供することにある。
【課題を解決するための手段】
【０００６】
本発明の操作パネルは、電子機器に設けられ、前記電子機器を操作するための操作パネルであって、光束を放射する自己発光素子、および押圧された場合に所定の信号を出力するスイッチが実装された回路基板と、前記回路基板に積層配置され、前記スイッチの位置に応じて配置され前記スイッチを押圧するためのキートップ本体、および前記キートップ本体を支持するベース部材を有するキートップと、前記自己発光素子の位置に応じて配置され、前記自己発光素子から放射された光束を導光して外部に射出するインジケータ部と、前記回路基板、前記キートップ、および前記インジケータ部に積層配置され、前記キートップ本体および前記インジケータ部を外部に露出するための孔を有するカバー部材とを備え、前記キートップおよび前記インジケータ部は、透光性を有する合成樹脂を成型により形成した一体成型品であることを特徴とする。
本発明によれば、操作パネルは、自己発光素子およびスイッチが実装された回路基板と、キートップと、インジケータ部と、カバー部材とを備えているので、従来における状態表示部および操作パネルを一体化した構成を実現できる。このため、従来のように回路基板を２つで構成する必要がなく回路基板を１つのみで構成でき、部材の省略から電子機器の小型化および低コスト化を図れる。
また、キートップおよびインジケータ部は、透光性を有する合成樹脂を成型により形成した一体成型品である。そして、例えば、これらキートップおよびインジケータ部を以下に示すように製造する。
すなわち、キートップおよびインジケータ部を、低コストの合成樹脂、例えば、ＡＢＳ(Acrylonitrile-Butadiene-Styrene)樹脂を用いて射出成型等により一体成型する。この後、インジケータ部を除く部分、すなわち、キートップ本体およびベース部材の表面に遮光処理を施す。上述したコストの安い材料を用いて上述したように製造することで、キートップおよびインジケータ部をそれぞれ独立して形成する従来の構成と比較して、電子機器の低コスト化を図れる。また、上述したように、キートップ本体およびベース部材の表面に遮光処理を施すことで、自己発光素子から放射された光束がキートップを介してカバー部材の孔から外部に漏れることも防止できる。さらに、電子機器を組み立てる際にインジケータ部を所定位置に配置する煩雑な作業も省略できる。
【０００７】
本発明の操作パネルでは、前記回路基板には、前記スイッチ近傍位置に光束を放射する自己発光素子が実装され、前記キートップ本体には、前記スイッチを押圧するための接触部と、前記自己発光素子から放射された光束を導光して前記キートップ本体から外部に射出させる導光部とが形成され、前記キートップ本体は、前記接触部が前記スイッチを押圧した状態で、前記導光部が前記スイッチと機械的に干渉しない形状を有していることが好ましい。
本発明によれば、キートップ本体には、接触部および導光部が形成されているので、キートップ本体の位置に応じて回路基板に実装された自己発光素子から放射された光束を導光部にて導光させキートップ本体から外部に向けて射出できる。このため、キートップ本体から射出された光束により電子機器の状態を利用者に認識させることができ、電子機器の利便性の向上が図れる。
また、キートップ本体から射出された光束により電子機器の状態を利用者に認識させることができるため、導光部をインジケータ部とする構成も可能となる。このような構成では、キートップ本体にインジケータ部を形成して操作パネルの小型化を図れ、ひいては、電子機器の小型化を図れる。
さらに、キートップ本体は、接触部がスイッチを押圧した状態で導光部がスイッチと機械的に干渉しない形状を有しているので、利用者にキートップ本体の操作を円滑に実施させることができかつ、キートップ本体から射出された光束により電子機器の状態を利用者に良好に認識させることができる。
【０００８】
本発明の電子機器は、外装筺体と、上述した操作パネルとを備え、前記操作パネルを構成するカバー部材は、前記外装筺体に一体的に形成されていることを特徴とする。
本発明によれば、電子機器は、外装筺体と、上述した操作パネルとを備えているので、上述した操作パネルと同様の作用・効果を享受できる。
また、操作パネルを構成するカバー部材が外装筺体に一体的に形成されているので、別途、カバー部材を形成する必要がなく、部材の省略から電子機器の小型化および低コスト化を図れる。
【発明を実施するための最良の形態】
【０００９】
[第１実施形態]
以下、本発明の第１実施形態を図面に基づいて説明する。
図１は、電子機器としてのプロジェクタ１の外観を示す斜視図である。具体的に、図１は、プロジェクタ１を背面上方側から見た斜視図である。
プロジェクタ１は、光源から射出される光束を画像情報に応じて変調して光学像を形成し、形成した光学像をスクリーン（図示略）上に拡大投射するものである。このプロジェクタ１は、図１に示すように、略直方体状の外装筺体２と、この外装筺体２内部に収納される図示しない装置本体と、この外装筺体２から露出する投射レンズ３と、プロジェクタ１を操作するための操作パネル４とを備える。
【００１０】
外装筺体２は、合成樹脂製の筺体であり、プロジェクタ１の装置本体を収納する。この外装筺体２は、図１に示すように、装置本体の上部部分、前面部分の一部、側面部分の一部、および背面部分の一部を覆うアッパーケース２１と、装置本体の下部部分、前面部分の一部、側面部分の一部、および背面部分の一部を覆うロアーケース２２とを備える。
この外装筺体２において、前方から見て右側部分には、図１に示すように、内部側に窪む凹部２３が形成され、凹部２３の底部分に内部と貫通し投射レンズ３の先端部分を露出するための開口部２４を有している。
また、この外装筺体２において、背面の後方から見て左側部分には、図１に示すように、断面略コ字状の凹部２５が形成されている。そして、この凹部２５の底部分には、図１に示すように、複数の孔２６が形成され、これら複数の孔２６を介して、外部の電子機器からの画像信号、音声信号等を入力するための複数の接続端子２７が外部に露出している。この凹部２５の内側には、接続端子２７から入力される信号を処理する図示しないインターフェース基板が配置されている。
さらに、この外装筺体２において、凹部２５の下方側部分には、図１に示すように、内部側に窪み、底部分に矩形状の開口２８が形成されている。そして、この開口２８を介して内部のインレットコネクタ２９が露出し、外部の電力をプロジェクタ１の装置本体に供給可能としている。
【００１１】
外装筺体２の内部に収納される装置本体は、具体的な図示は省略するが、前記インターフェース基板から出力される信号や操作パネル４から出力される信号等に応じてプロジェクタ１全体を制御する制御基板、インレットコネクタ２９を介して外部から供給された電力をプロジェクタ１の各構成部材に供給する電源ユニット、外部から入力した画像情報に応じて画像光を形成する光学ユニット、プロジェクタ１内部を冷却するための冷却ユニット等で構成されている。
これらのうち、光学ユニットは、光源装置と、前記制御基板の制御の下、光源装置から射出された光束を画像情報に応じて変調して画像光を形成する光変調装置とを備える。なお、光変調装置としては、透過型の液晶パネル、反射型の液晶パネル、ディジタル・マイクロミラー・デバイス（テキサス・インスツルメント社の商標）等を採用できる。
投射レンズ３は、筒状の鏡筒内に複数のレンズが収納された組レンズとして構成され、前記光学ユニットにより形成された画像光を図示しないスクリーン上に拡大投射する。
【００１２】
図２は、操作パネル４の構造を示す分解斜視図である。
操作パネル４は、図１または図２に示すように、アッパーケース２１の上面部の平面視略中央部分に左右方向に延びるように設けられ、利用者にプロジェクタ１の起動・調整操作等を実施させるとともに、プロジェクタ１の状態を利用者に報知するものである。この操作パネル４は、図２に示すように、回路基板４１と、キートップ４２と、複数のインジケータ部４３と、カバー部材４４とを備える。
回路基板４１には、図２に示すように、複数のタクトスイッチ４１１と、自己発光素子としての複数のＬＥＤ（Light Emitting Diode）モジュール４１２とが実装されている。
複数のタクトスイッチ４１１は、図２に示すように、リード端子４１１Ａを回路基板４１に半田付けすることで実装されている。このタクトスイッチ４１１には、その上面部から突出するとともに、内部に配置されたばね板を押し下げるためのボタン部４１１Ｂが設けられている。初期状態においては、ばね板と回路基板４１上に形成された図示しない接点との間には隙間が形成されているが、キートップ４２の後述するキートップ本体を押し下げてタクトスイッチ４１１上のボタン部４１１Ｂを押圧することで、回路基板４１上に形成された接点にばね板が押圧される。そして、回路基板４１から所定のタクトスイッチ４１１の押下に応じた信号が前記制御基板に出力され、前記制御基板により所定のタクトスイッチ４１１の押下に応じた制御が実施される。
複数のＬＥＤモジュール４１２は、前記制御基板による制御の下、例えば、プロジェクタ１の状態（起動状態、スタンバイ状態等）に応じて、回路基板４１を介して所定の駆動電圧が印加されることで点灯して光束を放射する。このＬＥＤモジュール４１２は、Ｓｉ基板上に固体発光素子であるＬＥＤ素子が形成されたものである。
【００１３】
キートップ４２は、利用者により操作される部分である。このキートップ４２は、回路基板４１の上方側に積層配置され、複数のキートップ本体４２１と、ベース部材４２２とを備える。
【００１４】
図３は、キートップ本体４２１の構造を示す断面図である。
複数のキートップ本体４２１は、複数のタクトスイッチ４１１に応じた位置に配設され、利用者による操作により押し下げられて各タクトスイッチ４１１のボタン部４１１Ｂを押圧するものである。これらキートップ本体４２１は、図２または図３に示すように、例えば、円柱形状、三角柱形状等を有し利用者により操作される操作部４２１Ａと、操作部４２１Ａの押し下げ方向（タクトスイッチ４１１に向かう方向）先端部分の外周から回路基板４１に沿って延出し押し下げ方向基端側に向かって立ち上がる断面略Ｌ字形状の外縁部４２１Ｂとで構成される。なお、初期状態では、図３に示すように、キートップ本体４２１とタクトスイッチ４１１との間に所定の隙間が形成されている。
【００１５】
ベース部材４２２は、図２に示すように、回路基板４１の外形形状と略同一の外形形状の平面視矩形枠形状を有し、枠状内側部分にて複数のキートップ本体４２１および複数のインジケータ部４３を支持する。このベース部材４２２には、図２または図３に示すように、枠状内側面から枠内部に向かって延びる支持材４２２Ａが形成され、該支持材４２２Ａの先端部分がキートップ本体４２１の外縁部４２１Ｂに接続する。そして、操作部４２１Ａが利用者により操作されると、支持材４２２Ａが枠体に対して屈曲して、キートップ本体４２１が押し下げられる。また、このベース部材４２２には、図２に示すように、枠状内側面から回路基板４１に沿って延出する板状の固定部４２２Ｂが形成され、該固定部４２２Ｂの上面部分に複数のインジケータ部４３が接続する。
【００１６】
複数のインジケータ部４３は、複数のＬＥＤモジュール４１２に応じた位置に配設され、円柱形状を有し、各ＬＥＤモジュール４１２から放射された光束を導光してプロジェクタ１外部に射出し、利用者にプロジェクタ１の状態を報知する部分である。
【００１７】
以上説明したキートップ４２（複数のキートップ本体４２１およびベース部材４２２）および複数のインジケータ部４３は、透光性を有する合成樹脂を射出成型等により形成した一体成型品で構成される。また、キートップ４２を構成する複数のキートップ本体４２１およびベース部材４２２の上面には、すなわち、複数のインジケータ部４３を除く部分には、遮光性を有する塗料にて塗装が施されている（例えば、図３に示す塗料４２Ａ参照）。なお、キートップ４２および複数のインジケータ部４３の材料としては、例えば、ＡＢＳや、ＰＣ(Poly-Carbonate)等の合成樹脂が例示できる。
【００１８】
カバー部材４４は、図２に示すように、キートップ４２の上方側に積層配置され、キートップ４２を平面的に覆うものである。このカバー部材４４は、図２に示すように、アッパーケース２１の上面に一体成型されたものであり、複数のキートップ本体４２１の各操作部４２１Ａに対応して平面視円形状、平面視三角形状を有し各操作部４２１Ａを外部に露出させるための複数の操作用孔４４１と、複数のインジケータ部４３を外部に露出させるための複数のインジケータ用孔４４２とを有する。
そして、プロジェクタ１を組み立てた状態では、カバー部材４４の各操作用孔４４１から各操作部４２１Ａが露出し、利用者が各操作用孔４４１を介して各操作部４２１Ａを操作することが可能となる。また、カバー部材４４の各インジケータ用孔４４２から各インジケータ部４３が露出し、利用者にプロジェクタ１の状態を報知することが可能となる。
【００１９】
以上説明した第１実施形態では、操作パネル４は、タクトスイッチ４１１およびＬＥＤモジュール４１２が実装された回路基板４１と、キートップ４２と、複数のインジケータ部４３と、カバー部材４４とを備えているので、従来における状態表示部および操作パネルを一体化した構成を実現できる。このため、従来のようにタクトスイッチ４１１が実装される回路基板、およびＬＥＤモジュール４１２が実装される回路基板の２つの回路基板を必要とせず１つの回路基板４１のみで構成でき、部材の省略からプロジェクタ１の小型化および低コスト化を図れる。
【００２０】
また、キートップ４２および複数のインジケータ部４３を低コストの合成樹脂、例えば、ＡＢＳを用いて射出成型等により一体成型し、複数のインジケータ部４３を除くキートップ４２の上面に塗料４２Ａにて塗装を施すことで、キートップ４２および複数のインジケータ部４３をそれぞれ独立して形成する従来の構成と比較して、プロジェクタ１の低コスト化を図れる。また、複数のインジケータ部４３を除くキートップ４２の上面に塗料４２Ａにて塗装を施すことで、ＬＥＤモジュール４１２から放射された光束がキートップ４２を介して操作用孔４４１から外部に漏れることも防止できる。さらに、プロジェクタ１を組み立てる際に複数のインジケータ部４３を所定位置に配置する煩雑な作業も省略できる。
さらに、キートップ本体４２１には、外縁部４２１Ｂが形成されているので、プロジェクタ１の装置本体を構成する光源装置から漏れた光が、キートップ本体４２１および操作用孔４４１の隙間を介して漏れることを防止でき、投影画像の観賞者に不快感を与えることもない。
【００２１】
そして、操作パネル４を構成するカバー部材４４が外装筺体２を構成するアッパーケース２１に一体的に形成されているので、別途、カバー部材４４を形成する必要がなく、部材の省略から電子機器の小型化および低コスト化を図れる。
【００２２】
[第２実施形態]
次に、本発明の第２実施形態について説明する。以下の説明では、既に説明した部分と同一の部分については、同一符号を付してその説明を省略する。
図４は、第２実施形態における操作パネル４´の構造を示す断面図である。
前記第１実施形態では、キートップ本体４２１の上面全体には、塗料４２Ａにより塗装され、該キートップ本体４２１を介して外部に光束が射出されない構成となっている。
これに対して第２実施形態では、回路基板４１における各キートップ本体４２１´の下方側に自己発光素子としてのＬＥＤモジュール４１２´が実装され、該ＬＥＤモジュール４１２´から放射された光束が各キートップ本体４２１´を介して外部に射出される構成となっている。その他の構成は、前記第１実施形態と同様である。
【００２３】
キートップ本体４２１´は、図４に示すように、前記第１実施形態で説明した操作部４２１Ａと同様の外形形状を有し利用者により操作される操作部４２１Ａ´と、前記第１実施形態で説明した外縁部４２１Ｂとで構成される。
操作部４２１Ａ´の押し下げ方向側（タクトスイッチ４１１側）の端面には、図４に示すように、接触部４２１Ａ１と、導光部４２１Ａ２とが形成されている。
接触部４２１Ａ１は、図４に示すように、ベース部材４２２の支持材４２２Ａ側に位置し、キートップ本体４２１´が押し下げられることによりタクトスイッチ４１１と接触する。
導光部４２１Ａ２は、図４に示すように、操作部４２１Ａ´の平面視略中央部分に位置し、周辺に凹部４２１Ａ３が形成され押し下げ方向に向かって断面積が次第に小さくなる形状を有している。そして、キートップ本体４２１´が押し下げられた場合には、凹部４２１Ａ３により、導光部４２１Ａ２とタクトスイッチ４１１とが機械的に干渉しない構成となっている。
そして、キートップ本体４２１´の上面には、操作部４２１Ａ´の平面視略中央部分を除く部分に遮光性を有する塗料にて塗装が施されている（例えば、図４に示す塗料４２Ａ参照）。
【００２４】
回路基板４１上には、図４に示すように、キートップ本体４２１´の接触部４２１Ａ１に応じた位置にタクトスイッチ４１１が実装され、導光部４２１Ａ２に応じた位置にＬＥＤモジュール４１２´が実装されている。そして、ＬＥＤモジュール４１２´から放射された光束は、導光部４２１Ａ２を介してキートップ本体４２１´の平面視略中央部分（塗料４２Ａにて塗装が施されていない部分）から外部に射出される。なお、ＬＥＤモジュール４１２´は、前記第１実施形態で説明したＬＥＤモジュール４１２と同様の構成であり、前記第１実施形態で説明した図示しない制御基板による制御の下、例えば、プロジェクタ１の状態（起動状態、スタンバイ状態等）に応じて、回路基板４１を介して所定の駆動電圧が印加されることで光束を放射する。
【００２５】
上述した第２実施形態においては、キートップ本体４２１´には、接触部４２１Ａ１および導光部４２１Ａ２が形成されているので、キートップ本体４２１´の下方側で回路基板４１に実装されたＬＥＤモジュール４１２´から放射された光束を導光部４２１Ａ２にて導光させキートップ本体４２１´の上面から外部に向けて射出できる。このため、キートップ本体４２１´から射出された光束によりプロジェクタ１の状態を利用者に認識させることができ、プロジェクタ１の利便性の向上が図れる。
また、キートップ本体４２１´から射出された光束によりプロジェクタ１の状態を利用者に認識させることができるため、ＬＥＤモジュール４１２および複数のインジケータ部４３を省略する構成も可能となる。このような構成では、部材の省略から操作パネル４の小型化および低コスト化を図れ、ひいては、プロジェクタ１の小型化および低コスト化を図れる。
さらに、キートップ本体４２１´は、凹部４２１Ａ３により、接触部４２１Ａ１がタクトスイッチ４１１を押圧した状態で導光部４２１Ａ２がタクトスイッチ４１１と機械的に干渉しない形状を有しているので、利用者にキートップ本体４２１´の操作を円滑に実施させることができかつ、キートップ本体４２１´から射出された光束によりプロジェクタ１の状態を利用者に良好に認識させることができる。
【００２６】
なお、本発明は前述の実施形態に限定されるものではなく、本発明の目的を達成できる範囲での変形、改良等は本発明に含まれるものである。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記各実施形態では、遮光性を有する塗料４２Ａを採用していたが、これに限らず、遮光可能であればよく、例えば、表面にシボ加工により遮光処理を施す構成を採用してもよい。
前記第２実施形態において、キートップ本体４２１´の導光部４２１Ａ２の形状は、前記第２実施形態で説明した形状に限らない。接触部４２１Ａ１によりタクトスイッチ４１１を押下した状態で、導光部４２１Ａ２がタクトスイッチ４１１に機械的に干渉しない形状であれば、いずれの形状を採用してもよい。
前記各実施形態では、電子機器としてプロジェクタを採用したが、本発明は、その他の種々の電子機器に適用可能である。
【００２７】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００２８】
本発明の操作パネルは、小型化および低コスト化を図れるため、電子機器に設けられる操作パネルとして利用できる。
【図面の簡単な説明】
【００２９】
【図１】第１実施形態における電子機器としてのプロジェクタの外観を示す斜視図。
【図２】前記実施形態における操作パネルの構造を示す分解斜視図。
【図３】前記実施形態におけるキートップ本体の構造を示す断面図。
【図４】第２実施形態における操作パネルの構造を示す断面図。
【符号の説明】
【００３０】
１・・・プロジェクタ（電子機器）、２・・・外装筺体、４，４´・・・操作パネル、４１・・・回路基板、４２・・・キートップ、４３・・・インジケータ部、４４・・・カバー部材、４１１・・・タクトスイッチ、４１２，４１２´・・・ＬＥＤモジュール（自己発光素子）、４２１，４２１´・・・キートップ本体、４２１Ａ１・・・接触部、４２１Ａ２・・・導光部、４２２・・・ベース部材、４４１・・・操作用孔、４４２・・・インジケータ用孔４４２。
【図１】
2006244864.tif 000003
【図２】
2006244864.tif 000004
【図３】
2006244864.tif 000005
【図４】
2006244864.tif 000006